(57)【特許請求の範囲】
【請求項１】
ＤＶＤレコーダーの本体のフロントパネルのキースイッチの操作ボタンあるいはリモコンの操作ボタンのうちの何れかの操作ボタンが押し操作されたときに、ＤＶＤレコーダーのディスク部が操作された操作ボタンにより指令される動作の制御運転を行うようになったＤＶＤレコーダーの制御運転構造であって、
前記フロントパネルの複種類の各操作ボタンおよび前記リモコンの複種類の操作ボタンの各々の操作面がそれぞれ、四角形状、三角形状および左右の各矢印形状を少なくとも含み、ＤＶＤレコーダーに指令入力すべき動作が触覚で認識できる形状に形成され、
ＤＶＤレコーダーの制御部が、
何れかの操作ボタンが押し操作されたとき、当該操作ボタンの種別をメモリに記憶し、且つタイマーに所定時間の計時を開始させ、
続いて押し操作された操作ボタンの種別と前記メモリに記憶した種別とが同一であるか否かを判別して、その判別結果が同一の種別でないときに、先に操作された操作ボタンの種別を前記メモリから消去し、後に操作された操作ボタンの種別を前記メモリに記憶したのち、前記タイマーに対しリセットしたのち再び所定時間の計時を開始させ、
同一の種別の操作ボタンが所定時間内に２回連続して押し操作されたと判別した時点で、ＤＶＤレコーダーのディスク部に当該操作ボタンの指令による動作の制御運転を開始させる制御を行うことを特徴とするＤＶＤレコーダーの制御運転構造。
【請求項２】
電子機器の本体のフロントパネルのキースイッチの操作ボタンあるいはリモコンの操作ボタンのうちの何れかの操作ボタンが押し操作されたときに、電子機器が操作された操作ボタンにより指令される動作の制御運転を行うようになった電子機器の制御運転構造であって、
前記フロントパネルの複種類の各操作ボタンおよび前記リモコンの複種類の操作ボタンの各々の操作面がそれぞれ、四角形状、三角形状および左右の各矢印形状を少なくとも含み、電子機器に指令入力すべき動作が触覚で認識できる形状に形成され、
電子機器の制御部が、
何れかの操作ボタンが押し操作されたとき、当該操作ボタンの種別をメモリに記憶し、且つタイマーに所定時間の計時を開始させ、
続いて押し操作された操作ボタンの種別と前記メモリに記憶した種別とが同一であるか否かを判別して、その判別結果が同一の種別でないときに、先に操作された操作ボタンの種別を前記メモリから消去し、後に操作された操作ボタンの種別を前記メモリに記憶したのち、前記タイマーに対しリセットしたのち再び所定時間の計時を開始させ、
同一の種別の操作ボタンが所定時間内に２回連続して押し操作されたと判別した時点で、電子機器に当該操作ボタンの指令による動作の制御運転を開始させる制御を行うことを特徴とする電子機器の制御運転構造。
【発明の詳細な説明】
【技術分野】
【０００１】
本発明は、本体キーあるいはリモコンのボタンを押し操作することによって、ＤＶＤレコーダーのディスク部を制御運転するかもしくは電子機器が制御運転されるようにしたＤＶＤレコーダーの制御運転構造及び電子機器の制御運転構造に関するものである。
【背景技術】
【０００２】
第１の従来技術を図６（ａ）（ｂ）に示す。この従来の遠隔操作装置は、図６（ａ）（ｂ）に示すように、複数のスイッチ１０３を備え、空調機などの被制御機器を遠隔操作するものであり、複数のスイッチ１０３の内、「運転／停止」スイッチ１３１、「温度上昇」スイッチ１３２、「温度下降」スイッチ１３３のみを操作可能とし、他のスイッチ１０３を操作できないようにカバー１０６で覆い、遠隔操作装置１０１をカバー１０６で覆ったことを検出することにより、遠隔操作装置１０１は被制御機器に、「自動」運転状態となる信号を送信するものである。更に、スイッチ１３１、１３２、１３３に点字を設けたものもある。（例えば、特許文献１参照）。
【０００３】
ところが、スイッチ１３１、１３２、１３３に点字を設けたものでは、点字をなぞるときにスイッチ１３１、１３２、１３３を押してしまい、誤動作する虞があるという問題があった。
【特許文献１】特開２０００−３１２３９２号公報
【発明の開示】
【発明が解決しようとする課題】
【０００４】
本発明は、上記従来の問題に鑑みてなされたものであって、視覚障害者でも正確に本体のフロントパネルのキースイッチあるいはリモコンのボタンを操作することができるＤＶＤレコーダーの制御運転構造及び電子機器の制御運転構造を提供することを目的としている。
【課題を解決するための手段】
【０００５】
本発明は、上記課題を解決するために提案されたものであって、請求項１に記載の発明は、ＤＶＤレコーダーの本体のフロントパネルのキースイッチの操作ボタンあるいはリモコンの操作ボタンのうちの何れかの操作ボタンが押し操作されたときに、ＤＶＤレコーダーのディスク部が操作された操作ボタンにより指令される動作の制御運転を行うようになったＤＶＤレコーダーの制御運転構造であって、前記フロントパネルの複種類の各操作ボタンおよび前記リモコンの複種類の操作ボタンの各々の操作面がそれぞれ、四角形状、三角形状および左右の各矢印形状を少なくとも含み、ＤＶＤレコーダーに指令入力すべき動作が触覚で認識できる形状に形成され、ＤＶＤレコーダーの制御部が、何れかの操作ボタンが押し操作されたとき、当該操作ボタンの種別をメモリに記憶し、且つタイマーに所定時間の計時を開始させ、続いて押し操作された操作ボタンの種別と前記メモリに記憶した種別とが同一であるか否かを判別して、その判別結果が同一の種別でないときに、先に操作された操作ボタンの種別を前記メモリから消去し、後に操作された操作ボタンの種別を前記メモリに記憶したのち、前記タイマーに対しリセットしたのち再び所定時間の計時を開始させ、同一の種別の操作ボタンが所定時間内に２回連続して押し操作されたと判別した時点で、ＤＶＤレコーダーのディスク部に当該操作ボタンの指令による動作の制御運転を開始させる制御を行うことを特徴としている。
【０００６】
請求項２に記載の発明は、電子機器の本体のフロントパネルのキースイッチの操作ボタンあるいはリモコンの操作ボタンのうちの何れかの操作ボタンが押し操作されたときに、電子機器が操作された操作ボタンにより指令される動作の制御運転を行うようになった電子機器の制御運転構造であって、前記フロントパネルの複種類の各操作ボタンおよび前記リモコンの複種類の操作ボタンの各々の操作面がそれぞれ、四角形状、三角形状および左右の各矢印形状を少なくとも含み、電子機器に指令入力すべき動作が触覚で認識できる形状に形成され、電子機器の制御部が、何れかの操作ボタンが押し操作されたとき、当該操作ボタンの種別をメモリに記憶し、且つタイマーに所定時間の計時を開始させ、続いて押し操作された操作ボタンの種別と前記メモリに記憶した種別とが同一であるか否かを判別して、その判別結果が同一の種別でないときに、先に操作された操作ボタンの種別を前記メモリから消去し、後に操作された操作ボタンの種別を前記メモリに記憶したのち、前記タイマーに対しリセットしたのち再び所定時間の計時を開始させ、同一の種別の操作ボタンが所定時間内に２回連続して押し操作されたと判別した時点で、電子機器に当該操作ボタンの指令による動作の制御運転を開始させる制御を行うことを特徴としている。
【発明の効果】
【０００７】
請求項１に記載の発明によれば、本体のフロントパネルのキースイッチの複種類の操作ボタンおよびリモコンの複種類の操作ボタンの各々の操作面がそれぞれ、ＤＶＤレコーダーに指令入力すべき動作が触覚で認識できる形状に形成されているから、視覚障害者が、各操作ボタンの操作面を触ることにより、ＤＶＤレコーダーに所望の動作を指令すべき目的の操作スイッチを容易に探し出すことができる。更に、同一の操作ボタンが２回連続して押し操作されない限りＤＶＤレコーダーのディスク部が制御運転されないので、視覚障害者が最初の操作ボタンを探すために目的としない操作ボタンに触って誤って押し操作したとしても、ＤＶＤレコーダーのディスク部が誤動作することがなく、同一の操作ボタンを２回連続して操作された時点でディスク部が制御運転されるので、視覚障害者でも正確に所望の操作ボタンの押し操作をすることができる。
【０００８】
請求項２に記載の発明によれば、本体のフロントパネルのキースイッチの複種類の操作ボタンおよびリモコンの複種類の操作ボタンの各々の操作面がそれぞれ、ＤＶＤレコーダーに指令入力すべき動作が触覚で認識できる形状に形成されているから、視覚障害者が、各操作ボタンの操作面を触ることにより、電子機器に所望の動作を指令すべき目的の操作ボタンを容易に探し出すことができる。更に、同一の操作ボタンが２回連続して押し操作されない限り電子機器が制御運転されないので、視覚障害者が最初の操作ボタンを探すために目的としない操作ボタンに触って誤って押し操作したとしても、電子機器が誤動作することがなく、同一の操作ボタンを２回連続して操作された時点で電子機器が制御運転されるので、視覚障害者でも正確に所望の操作ボタンの押し操作をすることができる。
【発明を実施するための最良の形態】
【０００９】
以下、本発明に係るＤＶＤレコーダーの制御運転構造及び電子機器の制御運転構造の実施の形態について、図を参照しつつ説明する。
【００１０】
図１は本発明のＤＶＤレコーダーの制御運転構造における本体の構造を示し、（ａ）はＤＶＤレコーダーの斜視図、（ｂ）はＤＶＤレコーダーのフロントパネルに設けられたキースイッチのボタンの形状を示す拡大部分斜視図である。
【００１１】
本実施形態のＤＶＤレコーダーの制御運転構造における本体構造は、図１（ａ）に示すように、ＤＶＤレコーダー１の本体２の前面のフロントパネル３に複種類のキースイッチのボタン４，５，６，７が設けられている。これらのボタン４，５，６，７は図１（ｂ）に示すように、各々の操作面が、ＤＶＤレコーダーに指令入力すべき動作が触覚で認識できる形状に形成されている。再生用のボタン４の操作面は三角形状に形成され、停止用のボタン５の操作面は四角形状に形成され、早送り用のボタン６の操作面は早送り方向に向いた矢印形状に形成され、巻き戻し用のボタン７の操作面は巻き戻し方向に向いた矢印形状に形成されている。
【００１２】
従って、視覚障害者でもこれらのボタン４、５、６、７を触って操作目的に応じたボタンを押し操作することができるようになっている。
【００１３】
また、後述の図３に示すリモコン８においても、図１（ｂ）に示したボタン４，５，６，７…と同じ形状を有するボタンを有している。このように、リモコンに設けられるボタンも図１（ｂ）に図示したものと同一形状であることから、図示を省略している。
【００１４】
具体的には、リモコン８にはその表面に複種類のボタンが設けられている。これらのボタンは、各々の操作面が、図１（ｂ）に示したと同様のＤＶＤレコーダーに指令入力すべき動作が触覚で認識できる形状に形成されている。すなわち、再生用のボタンの操作面は三角形状に形成され、停止用のボタンの操作面は四角形状に形成され、早送り用のボタンの操作面は早送り方向に向いた矢印形状に形成され、巻き戻し用のボタンの操作面は巻き戻し方向に向いた矢印形状に形成されている。
【００１５】
従って、視覚障害者でもこれらのボタンを触って操作目的に応じたボタンを押し操作することができるようになっている。
【００１６】
図３はＤＶＤレコーダーの構造を示すブロック図である。このＤＶＤレコーダー１はリモコン８とリモコン受光部１３とフロントスイッチ１４と制御部１５とディスク部１６とを有しており、制御部１５にはメモリ１７とタイマー１８が内蔵されている。上記したように、リモコン１７には複数のボタン９、１０、１１、１２が設けられ、フロントスイッチ１４には複数のボタン４、５、６、７が設けられている。
【００１７】
図４はリモコンのボタンの押し操作による制御運転の運転動作を示すフローチャート図である。
【００１８】
次に、図４に基づいてリモコン８の各ボタンの押し操作による制御運転動作について説明する。
【００１９】
図４に示すように、まず、リモコン８のボタンを視覚障害者が触って操作目的に応じたボタン（例えば、再生用のボタン）を押し操作する（Ｓ１）。このリモコン８の再生用のボタンの押し操作によるリモコンコードをリモコン受信部１３で受信し、メモリ１７にリモコンコードＡとして記憶する（Ｓ２）。次に、タイマー１８でカウントが開始され、この間にリモコン８の何れかのボタンが押し操作されてリモコン受信部１３で受信され、メモリ１７にリモコンコードＢとして記憶される（Ｓ３，Ｓ４）。次に、制御部１５でリモコンコードＡとＢが一致するか否かが判定される（Ｓ１５）。即ち、同じボタンが２度押されたか否かが判定される（Ｓ５）。一致した場合には、タイマー１８のカウントが５秒以内であったか否かが判定される（Ｓ６）。一致しない場合には、メモリ１７内のテーブルのリモコンコードＡを消去してリモコンコードＢをＡとして記憶する（Ｓ７）。この場合、タイマー１８がリセットされる（Ｓ８）。タイマー１８が再びカウント開始される。リモコンコードＡとリモコンコードＢが一致してタイマー１８のカウントが５秒以内であると、リモコンコードに対応した制御が行われ、ディスク部１６が制御運転される（Ｓ９）。タイマー１８のカウントが５秒以内でなかったらタイマー１８がリセットされて再びタイマーカウントが開始される。
【００２０】
図５は本体のフロントパネルのキースイッチのボタンの押し操作による制御運転の運転動作を示すフローチャート図である。
【００２１】
次に、図５に示すように、フロントパネル３のフロントスイッチ１４のボタン４、５、６又は７を視覚障害者が触って操作目的に応じたボタン（例えば、再生用のボタン４）を押し操作する（Ｓ１１）。このフロントスイッチ１４の再生用のボタン４の押し操作によるキー信号をメモリ１７にキー信号Ａとして記憶する（Ｓ１２）。次に、タイマー１８でカウントが開始され、この間にフロントスイッチ１４の何れかのボタン４、５、６又は７が押し操作されて制御部１５で受信され、メモリ１７にキー信号Ｂとして記憶される（Ｓ１３，Ｓ１４）。次に、制御部１５でキー信号ＡとＢが一致するか否かが判定される（Ｓ１５）。一致した場合には、タイマー１８のカウントが５秒以内であったか否かが判定される（Ｓ１６）。キー信号が一致しない場合には、メモリ１７内のテーブルのキー信号ＢをＡとして記憶する（Ｓ１７）。この場合、タイマー１８がリセットされ（Ｓ１８）、あらためてタイマー１８がカウント開始される。タイマー１８のカウントが５秒以内であれば、キー信号に対応した制御が行われ、ディスク部１６が制御運転される（Ｓ１９）。タイマー１８のカウントが５秒以内でなければタイマー１８がリセットされて再びタイマーカウントが開始される。
【００２２】
従って、本実施形態のＤＶＤレコーダーの運転制御構造によれば、本体２のフロットパネル３のキースイッチのボタン４、５、６、７あるいはリモコンのボタンがＤＶＤレコーダーに指令入力すべき動作が触覚で認識できる形状に形成されているから、視覚障害者でも操作目的に応じたボタンを触って操作することができる。更に、同一ボタンを２度押し操作することによってＤＶＤレコーダーのディスク部１６が制御運転されるから、視覚障害者が最初のボタンを探すために操作目的とは異なるボタンを触って誤って押し操作したとしても、ＤＶＤレコーダーのディスク部１６が誤動作することがなく、同一ボタンを２度押ししてからディスク部１６が制御運転されることによって、視覚障害者でも正確に操作目的に応じたボタンの押し操作をすることができる。また、タイマー１８によって、５秒以内に同一ボタンが押し操作されたか否かが判定されるので、続けて同じボタンが押された場合だけ、ディスク部１６が運転制御されるように制御することができる。
【００２３】
尚、本発明は、ＤＶＤレコーダーの制御運転構造に限らず、他の電子機器の制御運転構造にも適用できることは勿論である。
【図面の簡単な説明】
【００２４】
【図１】本発明のＤＶＤレコーダーの制御運転構造におるけ本体の構造を示し、（ａ）はＤＶＤレコーダーの斜視図、（ｂ）はＤＶＤレコーダーのフロントパネルに設けられたキースイッチのボタン形状を示す拡大部分斜視図である。
【図２】ＤＶＤレコーダーの構造を示すブロック図である。
【図３】リモコンのボタンの押し操作による制御運転の運転動作を示すフローチャート図である。
【図４】本体のフロントパネルのキースイッチのボタンの押し操作による制御運転の運転動作を示すフローチャート図である。
【図５】従来の遠隔操作装置を示し、（ａ）は正面図、（ｂ）は（ａ）におけるＡ−Ａ線の断面図である。
【符号の説明】
【００２５】
１      ＤＶＤレコーダー
２      本体
３      フロントパネル
４      再生用のボタン
５      停止用のボタン
６      早送り用のボタン
７      巻き戻し用のボタン
８      リモコン
９      再生用のボタン
１０    停止用のボタン
１１    早送り用のボタン
１２    巻き戻し用のボタン
１３    リモコン受光部
１４    フロントスイッチ
１５    制御部
１６    ディスク部
１７    メモリ
１８    タイマー
【図１】
0004508158.tif 000002
【図２】
0004508158.tif 000003
【図３】
0004508158.tif 000004
【図４】
0004508158.tif 000005
【図５】
0004508158.tif 000006